(57)【要約】      （修正有）【課題】フレキシブルなフック層と接着して生地の小包を完成させることができ、耐震耐摩耗性能を備えて、小包の保護を実現し、吸水性能と保温性能が優れ、コップを包むことができる。また、フィットネス運動中に頭巾または腕輪として使用でき、保護作用があると同時に使いやすくなる、両面テープを提供する。【解決手段】引張変形糸紡績層１、フレキシブルフック層５、海島紡績層、ポリアミド繊維層７、及び接着性紡績層を含み、フレキシブルなフック層は引張変形紡績層の片側に位置し、海島紡績層は引張変形紡績層の反対側に位置し、フレキシブルなフック層は引張変形紡績層とくっついている。ビスケット層はポリアミド繊維層の片側に位置し、ポリアミド繊維層とビスケット層はいずれも島糸紡績層の下に位置し、フレキシブルフック層は弾性繊維といくつかの接着フックを含む。【選択図】図２
0003234931.tif 000002
【実用新案登録請求の範囲】
【請求項１】
両面粘着性百枚のファブリックにおいて、引張変形紡績層（1）、フレキシブルフック層、海島糸紡績層（5）、ポリアミド繊維層（7）、及び接着性紡績層（8）を含み、フレキシブルフック層は、前記引張変形紡績層（1）の側に位置し、前記海島紡績層（5）は、前記引張変形紡績層（1）の反対側に位置し、フレキシブルフック層は、前記引張変形紡績層（1）とともに、前記ポリアミド繊維層（7）の片側に位置し、前記ポリアミド繊維層（7）とビスケット層（8）はいずれも海島紡織層（5）の下方に位置し、前記フレキシブルフック層は弾性繊維（2）と幾つかの接着フック（3）を含むことを特徴とする両面粘着性百枚のファブリック。
【請求項２】
前記引張変形絹織物層（1）には複数の通気性マイクロホールが配置されていることを特徴とする請求項1に記載の両面粘着性百枚のファブリック。
【請求項３】
複数の前記接着フック（3）は、前記弾性繊維（2）の中にあり、前記接着フック（3）は、前記弾性繊維（2）の中に隠れており、前記弾性繊維（2）の中に隣接している2つの前記接着フック（3）は距離が同じであることを特徴とする請求項1に記載の両面粘着性百枚のファブリック。
【請求項４】
前記引張変形紡績層（1）と前記海島紡織層（5）との間にポリアクリルニトリル繊維層（4）が設けられていることを特徴とする請求項1に記載の両面粘着性百枚のファブリック。
【請求項５】
前記海島糸紡績層（5）と前記ポリアミド繊維層（7）との間に、ポリエステル繊維層（6）が設けられていることを特徴とする請求項1に記載の両面粘着性百枚のファブリック。
【請求項６】
前記ポリアミド繊維層（7）にはSBR成分が設けられていることを特徴とする請求項1に記載の両面粘着性百枚のファブリック。
【考案の詳細な説明】
【技術分野】
【０００１】
この実用新案は生地技術の分野に関連しています。具体的には両面粘着性の生地です。
【背景技術】
【０００２】
マジックテープ（登録商標）の片面は細くて柔らかい繊維で、丸い毛、もう一方の-面は硬いフックのとげ毛です。服、カバンなどによく使われていますつなぎ補助材料で、分子母の両面です。マジックテープの原理に触発され、一方は絨で、一方はフックで、使用中に、フックの面は絨の面に引っかかり、くっつけて固定の役割を果たします。しかし、素材の制限のため、手触りが硬く、変形しにくいので、日常的な包み生地としては使えません。この実用的な新型はマジックの原理を家庭用紡績生地に応用して、紡績技術と原料の上ですべて再び改良を行います。この布地は異なった布地から複合してできます。
【考案の概要】
【０００３】
本実用新案の目的は、先行技術の不足点に対して、両面粘着テープの生地を提供し、背景技術に提出された問題を解決すますことにあます。
【０００４】
このような目的を達成すますために、本考案は、引張変形絹織物層、フレキシブルフック層、海島糸紡績層、ポリアミド繊維層、及び接着性絨層を含む両面粘着性の100枚の生地を提供しており、このフレキシブルフック層は、引張変形絹織物層の反対側に位置しています。フレキシブルフック層は、これらの引張変形絹織物層とともに、その接着層はポリアミド繊維層の片側に位置し、ポリアミド繊維層と粘着性絨層はいずれも海島紡織層の下方に位置しており、フレキシブルフック層は弾性繊維といくつかの接着フックを含む。
【０００５】
好ましくは、引張変形ワイヤ紡績層には複数の通気性マイクロホールが配置されています。
【０００６】
好ましくは、いくつかの接着フックが弾性繊維の中に設けられ、前記接着フックは弾性繊維の中に隠れており、隣接すます2つの前記接着フックの距離は同じであます。
【０００７】
好ましくは、前記引張変形紡績層と前記海島紡績層との間にポリアクリル繊維層が設けられています。
【０００８】
優選的、上記のとおり海島紡織層とポリアミド繊維層との間には、ポリエステル繊維層が設けられています。
【０００９】
優選的、上記のとおりポリアミド繊維層にはSBR成分が設けられています。
【００１０】
既存の技術と比べて、この実用的な新型は両面粘着性のマジック生地を提供しています、下記の役立つ効果があります。
【００１１】
この実用的な新型はフレキシブルフックとビスケット層を接着すますことに通して、生地を包むことです。その同時にポリアクリル繊維層、海島糸紡績層、ポリエステル繊維層とポリアミド繊維層を採用して複合します、コンピュータ、デジタルカメラなど重要な物を包みます、この生地は耐震耐磨性が持っています、物の保護を実現しています。この生地は吸水性、防水性と保温性を持っています。ですから水コップを包むことができます。また、フィットネス運動の中で頭巾や腕として使用できます、保護作用があますし使いやすいです、メガネを拭くこともできます。
【図面の簡単な説明】
【００１２】
この実用な新型の実施例、現在技術におけます技術案を明確に説明すますために、下記の実施例、現在技術説明において必要な図面を簡単に紹介いたします、下記の説明におけます図面は本実用新型の一部の実施例にすぎず、この分野の一般技術者にとって創造性労働を行わないで、これら の図面に従って示された構造で他の図面を得ますこともできます。
【図１】この実用な新型の構成図
【図２】この実用な新型の断面図
【図３】この実用な新型でパソコンを包み構造概略図
【考案を実施するための形態】
【００１３】
本発明の実施例の図面と合わせて、本発明の実施例の技術案を明確的、完備を説明します。説明した実施例は本発明の一部です、全ての実施例ではありませんです、本発明の実施例に基づいて当業者は創造的な労働がなされていないで取得されます他のすべての実施形態は、本発明の保護の範囲のものであます
【００１４】
本発明の説明では、用語「縦」、「上」、「下」、「水平」などが示す方位、位置関係図面に基づいて方位、位置関係であり、本発明の説明を簡単に説明すますため、指示、暗示ではなく、特定の方位を有すます必要があます。特定の方位構造と操作にとって、本発明に対すます制限としては理解できません。
【００１５】
本発明の説明の中に特に明確な規定と制限がない限りに用語「設定」、「設置」、「接続」、「接続」は広義的な理解をすべきであり、例えば固定接続であっても良いし、取り外し可能な接続であっても良いし、一体的に接続しても良いし、機械的接続であっても良いし、電気的接続であっても良いし、直接接続であっても良い。中間媒体を介して接続されても良いし、2つの素子内部の接続であっても良いです。当業者にとっては、本発明は普通の技術者にとって、具体的な状況によって上記の用語の意味は理解できます。
【００１６】
図1-3を参照して本実施の形態では、両面粘着性のあますマジック生地は伸び変形紡績層1、フレキシブルフック層5、ポリアミド繊維層7、及び粘着性のあますレース層8を含めています、フレキシブルなフック層は伸び変形紡績層1の側にあり、海島紡績層5は伸び変形紡績層1の反対側にあり、フレキシブルフック層は、伸び変形紡績層1と粘着しています。8はポリアミド繊維層7の側にあり、ポリアミド繊維層7と粘着性ウール層8は島紡織層5の下方に位置しており、フレキシブルフック層は弾性繊維2及びいくつかの粘着フック3を含む。フレキシブルフック層とビスケット層8を接着すますことに生地の小包が完成できます。その中に海島糸紡績層5の破断強度が悪く、吸湿効果がよく、ポリアミド繊維層7が最優れていますのは耐摩性が他のすべての繊維より高いという利点があります。ポリアクリロニトリル繊維層4、海島紡績層5、ポリエステル繊維層6、ポリアミド繊維層7を複合しています。ホットメルト接着ガンで接着すます方式を固定します、生地を様々な形を折り畳むことをできます、パソコン、デジタルカメラ及び重要な物を包みます。この生地は耐震耐摩性能がありますので、物の保護を実現しています、この生地は吸水性、防水性と保温性を持っていますので、水コップを包むことができます。また、フィットネス運動の中で頭巾や腕として使用できます、保護作用があますし使いやすいです、メガネを拭くこともできます。
【００１７】
このうち、伸縮変形紡績層1は、蒸し糸、反包機織造、切り毛、予定と染色過程によって製造され、海島紡織層5は正包機織造とアルカリ量染色過程によって製造されています。本実施では、引張り変形紡績層1上に複数の通気性マイクロホール11が配置されています。伸縮変形糸紡績層1に幾つかの通気性マイクロホール11を設けますことにより、透過性とともに島糸紡織層5を利用して急速に吸水できます機能を実現すますことができます。
【００１８】
本実施例では、いくつかの連結フック3は、弾性繊維2の中に設けられ、かつ、フック3は弾性繊維2の中に隠れており、隣接する2つの連結フック3は同じ距離にあります。粘着フック3を弾性繊維2に隠すことにより、布地の快適さを向上させ、フック3により硬い手触りが発生しないようにすることができ、この生地を接着する過程で、粘着フック3を含む片面を粘着テープ層8の一端に貼り付けて押すことができ、この時、弾性繊維2が収縮し、マジックテープの接着操作を実現します。弾性繊維2は、ポリエステル繊維を採用しています。本実施例では、伸縮変形紡績層1と海島紡績層5の間にポリアクリル繊維層4が設けられている。このうち、ポリアクリル繊維層4は弾性が良く、保温性が高く、耐晒性が優れており、実用新案の生地の全体性能を高めています。本実施例では、海島紡織層5とポリアミド繊維層7の間に、ポリエステル繊維層6が設けられている。この中で、ポリエステル繊維層6の最大の利点は、しわ耐性と保形性が高く、強度と弾性回復能力が高いことである。本実施では、ポリアミド繊維層7にはSBR成分が設けられている。SBR成分をポリアミド繊維層7に添加することにより、生地の保温性をさらに向上させ、SBR成分を含むポリアミド繊維層7を利用して、隔水効果を発揮することができます。
【００１９】
以上のように本実用新案の好適な実施形態に限定されるものではなく、本実用新案の概念の下で、本実用新案の明細書及び図面の内容を利用して行った等価構造変換、又は直接／間接的に運用される他の技術分野は、いずれも本実用新案の特許保護範囲に含まれます。
【符号の説明】
【００２０】
1、伸縮変形紡績層  11、空気を通す穴；2、弾性繊維；3、フックにくっつく；4、ポリアクリル繊維層5、海島紡績層；6、ポリエステル繊維層7、ポリアミド繊維層8、ビロード層を接着すます。
【図１】
0003234931.tif 000003
【図２】
0003234931.tif 000004
【図３】
0003234931.tif 000005